(57)【要約】      （修正有）【課題】圧力（温度）を構成する要素は、おもりの重量と蒸気の噴出し口の直径の関係である。この関係をだれでも容易に、しかも簡単で、複数のおもりを持たず、調圧弁ノズルを取り替える煩わしさも無く、かつ正確に調整できることによって、素材の持つ特性を出来るだけ壊さず、しかも省エネを達成する従来の圧力なべの特性を変える事無く、圧力（温度）を２段階に切り替える事。【解決手段】調圧弁ノズルをヘッド、シャフト、スナップリングの３要素に分割し、同じシャフトの先端に高圧用の孔径を、ヘッドには低圧用の孔径を加工、しかもヘッドには、廻すのに容易なように、縦方向のローレット加工を施し、回転して緩めたときでも抜けないようスナップリングを入れる溝が加工して取り付けてある。【選択図】なし【実用新案登録請求の範囲】
【請求項１】
調圧弁ノズルに設ける
【請求項２】
低圧と高圧の２段切り替え
【考案の詳細な説明】
【考案の詳細な説明】
【技術分野】
【０００１】当該商品である圧力なべは、その圧力（温度）によって、素材を容易に柔らかくする目的に使用される。素材の種類によって、加熱時間及び圧力（温度）の変化が要望され、利用する側の嗜好によっても変わってくる要素を持っている。この圧力（温度）を、高圧及び低圧の２段階に調整でき、素材の持つ特性を出来るだけこわさずに、当該商品を使用する上で、圧力（温度）及び時間の組合わせを最適に調整可能にする装置である。
【背景技術】
【０００２】１個の当該商品において、圧力（温度）を変える方法としては、おもりを替えて重量を変える方法、調圧弁ノズルを取り替えてノズルの孔径を替える方法と、おもりのニードルを引っ込めて、一つのおもりで圧力を切り替える方法等があった。
【考案が解決しようとする課題】
【０００３】当該商品において、圧力（温度）を構成する要素は、おもりの重量と蒸気の噴出し口の直径の関係である。この関係をだれでも容易に、しかも簡単で、複数のおもりを持たず、調圧弁ノズルを取り替える煩わしさも無く、かつ正確に調整できることによって、素材の持つ特性を出来るだけ壊さず、しかも省エネを達成する事を特長とする従来の当該商品の特性を変える事無く、圧力（温度）を２段階に切り替える事を目的とする。
【課題を解決するための手段】
【０００４】調圧弁ノズルを図１のように、ヘッド、シャフト、スナップリングの３要素に分割し、同じく図４のように、シャフトの先端に高圧用の孔径を、図３のヘッドには低圧用の孔径を加工、しかもヘッドには、廻すのに容易なように、縦方向のローレット加工を施し、回転して緩めたときでも抜けないようスナップリングを入れる溝が加工してあり、図１のように取り付けてある。
当該商品において、図６に示すように、蒸気圧を作り出す構造として、蒸気が噴出す孔径、おもりの重量、おもりのニードルの相関関係としては、一番正確な方法である。
【考案を実施するための最良の形態】
【０００５】図１に示すように、調圧弁ノズルは、一般的には当該商品のふたに取り付けられている。そして今回解決しようとする調圧弁の構成３要素は図１のような組立関係にある。又図１は低圧用に調整した場合を示し、図２は高圧用に調整された場合を示す。図１から図２への調整（高圧から低圧への変換）は、ヘッドを左回り（ヘッドを緩める方向）へ廻す事で簡単に操作でき、スナップリングがストッパーの働きをするので、ヘッドが外れることはない。反対に図２から図１への調整（低圧から高圧への変換）は、ヘッドを右回り方向（ヘッドを締め込む方向）に廻せばよい。当該商品が実際に使用される形態は、図６及び図７で、図６は高圧時、図７は低圧時を示す。
【考案の効果】
１．圧力（温度）を変える時部品を失う事が無い。
２．操作が非常に簡単である。
３．圧力（温度）が低圧、高圧とも正確（おもり重量と拭き出し口の孔径の関係で決まる）になる。
４．おもりを複数個持つ必要が無い。
0003113298.tif 000002
0003113298.tif 000003
0003113298.tif 000004
0003113298.tif 000005
0003113298.tif 000006
【手続補正書】
【提出日】平成16年8月10日(2004.8.10)
【手続補正１】
【補正対象書類名】実用新案登録請求の範囲
【補正対象項目名】全文
【補正方法】変更
【補正の内容】
【実用新案登録請求の範囲】
【請求項１】
・  圧力なべは、なべとふたの間にパッキンを介し、加熱沸騰後蒸気を外に排出する抑制装置を持っており、その抑制装置により、なべの中の圧力を一定に保ち、即ち一定の温度にして調理するための調理器具である。従って圧力なべは、なべ本体とふた、それにパッキンと圧力抑制装置、それに万が一抑制装置に異常が発生した場合の安全装置などから構成されている商品である。しかしながら食材によっては、低温で調理する方が良い物、高温で調理する方が良い物などがあります。この低温、高温に抑制する装置を、圧力なべの調圧弁ノズルに設けた圧力なべである。
・  今回の実案は、低圧と高圧の２段階に切替できるように設計された圧力なべである。
【手続補正２】
【補正対象書類名】明細書
【補正対象項目名】全文
【補正方法】変更
【補正の内容】
【考案の詳細な説明】
【技術分野】
【０００１】・  当該商品である圧力なべは、その圧力（温度）によって、素材を容易に柔らかくする目的に使用される。素材の種類によって、加熱時間及び圧力（温度）の変化が要望され、利用する側の嗜好によっても変わってくる要素を持っている。一方圧力なべの圧力を制御する方法には１．おもり式  ２．スプリング式  ３．その他があり、今回の提案技術は、１のおもり式におけるものである。このおもり式でなべの中の圧力を作り出す技術は、蒸気を噴出す（一般に調圧弁シャフトという）穴の直径と、その穴の上に乗っているおもりの重量の関係による。即ち、なべの中の圧力をＰ、おもりの重量をＷ、調圧弁シャフト穴の断面積をＤ、とした場合、Ｐ＝Ｗ÷Ｄ  の一般式が成り立つ。従ってこの調圧弁シャフト穴の直径とおもりの関係において、おもりの重量Ｗ、調圧弁シャフト穴の断面積Ｄ（直径に関係）の組合せをお互いに変えることで圧力なべの中の圧力は変わってくる。
【背景技術】
【０００２】・  当該商品である圧力なべは、ほとんどの商品が圧力一定である。即ちおもり式においては、おもりの重量を固定、調圧弁シャフト穴の寸法を固定されたものが大半である。一部おもりの中に  Ｐ＝Ｗ÷Ｄの関係を調節する装置を組み込んだものも見受けられる。しかし調圧弁シャフト穴の寸法を調節できる構造を持った圧力なべは現在全く存在していない。特に家庭用圧力なべは、法規定でなべの中の圧力が１．５ｋｇ／ｃｍ２以下とされていて、圧力の調整範囲が小さいので、一個の部品の中でなべの中の圧力を変える事は部品加工上難しいと考えられていた。
【考案の効果】
・  まず圧力なべで調理する場合、低圧（低温）と高圧（高温）を区別して行いたい時、部品を交換することなく容易に調整が出来る。
・  〔図１〕〔図２〕〔図３〕から解るように、調圧弁のヘッドの外周に縦ローレットが施されており、容易に回転でき、しかも調圧弁スナップリングで回転がストップされるので、調圧弁ヘッドを失うことも無く操作が簡単である。
・  調整がネジによって行われるので、耐久力にも問題がない。
【図面の簡単な説明】
【図１】  高圧（高温）用に調節された調圧弁の一部断面組立図である。
【図２】  同じく低圧（低温）用に調節された調圧弁の一部断面組立図である。
【図３】  調圧弁ヘッドの一部断面図である。
【図４】  調圧弁シャフトの一部断面図である。
【図５】  調圧弁スナップリングの一部断面図である。
【図６】  実際に高圧（高温）用に調節された調圧弁におもりをセットした一部断面組合せ図である。
【図７】  同じく実際に低圧（低温）用に調節された調圧弁におもりをセットした一部断面組合わせ図である。
【符号の説明】
Ａ    調圧弁ヘッド
Ｂ    調圧弁シャフト
Ｃ    調圧弁スナップリング
Ｄ    圧力なべふた上面
Ｅ    調圧弁シャフト固定ナット
Ｎ    ニードル
Ｗ    おもり
１    低圧（低温）用蒸気噴き出し口
２    調圧弁ヘッドネジ部
３    調圧弁スナップリング用溝
４    調圧弁の縦ローレット加工部
５    調圧弁シャフト高圧（高温）蒸気噴き出し口
６    調圧弁シャフトネジ部
７    ふた止めつば
８    調圧弁シャフト固定用ネジ部
【手続補正３】
【補正対象書類名】図面
【補正対象項目名】全図
【補正方法】変更
【補正の内容】
【図１】
0003113298.tif 000007
【図２】
0003113298.tif 000008
【図３】
0003113298.tif 000009
【図４】
0003113298.tif 000010
【図５】
0003113298.tif 000011
【図６】
0003113298.tif 000012
【図７】
0003113298.tif 000013
【手続補正書】
【提出日】平成16年12月9日(2004.12.9)
【手続補正１】
【補正対象書類名】実用新案登録請求の範囲
【補正対象項目名】全文
【補正方法】変更
【補正の内容】
【実用新案登録請求の範囲】
【請求項１】
・  圧力なべは、なべとふたの間にパッキンを介し、加熱沸騰後蒸気を外に排出する制御装置をもっており、その制御装置により、なべの中の圧力を一定に保ち、即ち一定の温度にして調理するための調理器具である。
今回、この加熱沸騰蒸気を排出する制御装置＝蒸気噴き出し口＝を調圧弁ノズルの先端を可動式にして、蒸気噴き出し口の直径を２通りに出来るように構成した。即ち、調圧弁ノズルの先端を〔図１〕〔図２〕のように調圧弁ヘッドと調圧弁シャフトから構成し、調圧弁ヘッドが上下に可動出来、最上部にすればなべ内部の圧力は低温（一定）に、最下部にすればなべ内部の圧力は高温（一定）に出来る。
今回の請求は、以上の構成からなることを特徴とする圧力なべである。
【手続補正２】
【補正対象書類名】明細書
【補正対象項目名】全文
【補正方法】変更
【補正の内容】
【考案の詳細な説明】
【技術分野】
【０００１】・  当該商品である圧力なべは、その圧力（温度）によって、素材を容易に柔らかくする目的に使用される。素材の種類によって、加熱時間及び圧力（温度）の変化が要望され、利用する側の嗜好によっても変わってくる要素を持っている。一方圧力なべの圧力を制御する方法には１．おもり式  ２．スプリング式  ３．その他があり、今回の提案技術は、１のおもり式におけるものである。このおもり式でなべの中の圧力を作り出す技術は、蒸気を噴出す（一般に調圧弁シャフトという）穴の直径と、その穴の上に乗っているおもりの重量の関係による。即ち、なべの中の圧力をＰ、おもりの重量をＷ、調圧弁シャフト穴の断面積をＤ、とした場合、Ｐ＝Ｗ÷Ｄ  の一般式が成り立つ。従ってこの調圧弁シャフト穴の直径とおもりの関係において、おもりの重量Ｗ、調圧弁シャフト穴の断面積Ｄ（直径に関係）の組合せをお互いに変えることで圧力なべの中の圧力は変わってくる。
【背景技術】
【０００２】・  当該商品である圧力なべは、ほとんどの商品が圧力一定である。即ちおもり式においては、おもりの重量を固定、調圧弁シャフト穴の寸法を固定されたものが大半である。一部おもりの中に  Ｐ＝Ｗ÷Ｄの関係を調節する装置を組み込んだものも見受けられる。しかし調圧弁シャフト穴の寸法を調節できる構造を持った圧力なべは現在全く存在していない。特に家庭用圧力なべは、法規定でなべの中の圧力が１．５ｋｇ／ｃｍ２以下とされていて、圧力の調整範囲が小さいので、一個の部品の中でなべの中の圧力を変える事は部品加工上難しいと考えられていた。
【考案の効果】
・  まず圧力なべで調理する場合、低圧（低温）と高圧（高温）を区別して行いたい時、部品を交換することなく容易に調整が出来る。
・
【図１】
【図２】
【図３】
から解るように、調圧弁のヘッドの外周に縦ローレットが施されており、容易に回転でき、しかも調圧弁スナップリングで回転がストップされるので、調圧弁ヘッドを失うことも無く操作が簡単である。
・  調整がネジによって行われるので、耐久力にも問題がない。
【図面の簡単な説明】
【図１】  高圧（高温）用に調節された調圧弁の一部断面組立図である。
【図２】  同じく低圧（低温）用に調節された調圧弁の一部断面組立図である。
【図３】  調圧弁ヘッドの一部断面図である。
【図４】  調圧弁シャフトの一部断面図である。
【図５】  調圧弁スナップリングの一部断面図である。
【図６】  実際に高圧（高温）用に調節された調圧弁におもりをセットした一部断面組合せ図である。
【図７】  同じく実際に低圧（低温）用に調節された調圧弁におもりをセットした一部断面組合わせ図である。
【符号の説明】
Ａ    調圧弁ヘッド
Ｂ    調圧弁シャフト
Ｃ    調圧弁スナップリング
Ｄ    圧力なべふた上面
Ｅ    調圧弁シャフト固定ナット
Ｎ    ニードル
Ｗ    おもり
１    低圧（低温）用蒸気噴き出し口
２    調圧弁ヘッドネジ部
３    調圧弁スナップリング用溝
４    調圧弁の縦ローレット加工部
５    調圧弁シャフト高圧（高温）蒸気噴き出し口
６    調圧弁シャフトネジ部
７    ふた止めつば
８    調圧弁シャフト固定用ネジ部
【手続補正３】
【補正対象書類名】図面
【補正対象項目名】全図
【補正方法】変更
【補正の内容】
【図１】
0003113298.tif 000014
【図２】
0003113298.tif 000015
【図３】
0003113298.tif 000016
【図４】
0003113298.tif 000017
【図５】
0003113298.tif 000018
【図６】
0003113298.tif 000019
【図７】
0003113298.tif 000020
【手続補正書】
【提出日】平成17年3月29日(2005.3.29)
【手続補正１】
【補正対象書類名】実用新案登録請求の範囲
【補正対象項目名】全文
【補正方法】変更
【補正の内容】
【実用新案登録請求の範囲】
【請求項１】
・  圧力なべは、なべとふたの間にパッキンを介し、加熱沸騰後蒸気を外に排出する制御装置をもっており、その制御装置により、なべの中の圧力を一定に保ち、即ち一定の温度にして調理するための調理器具である。
今回、この加熱沸騰蒸気を排出する制御装置＝蒸気噴き出し口＝を２通りに切り替えられるように構成した。即ち、圧力なべのふたに固定された蒸気を噴き出す役目をする調圧弁シャフトの先端部の蒸気噴き出し口の外側に、一回り大きい噴き出し口を持った調圧弁ヘッドを設け、この調圧弁ヘッドを調圧弁シャフトの先端部と調圧弁ヘッドの先端部を同一のレベルまで下げると、調圧弁シャフトの小さい噴き出し口が作用して、なべ内部の圧力が高圧（高温）に保たれ、調圧弁ヘッドを一番上まで持ち上げると、調圧弁ヘッドの一回り大きい噴き出し口が作用して、なべ内部の圧力が低圧（低温）に保たれる。即ち調圧弁を操作することで、なべ内部の圧力（温度）を２通りに切替できる。
今回の請求は、以上の構成からなることを特徴とする圧力なべである。
【手続補正２】
【補正対象書類名】手続補正書
【補正対象項目名】手続補正  ４
【補正方法】削除
【補正の内容】